(57)【特許請求の範囲】
【請求項１】
線条部材を網状に形成した落下防止ネットをフラット型天窓の下方の両側に設けられた左右の架台に対向配置した水平張出し部の上部に載置可能な幅に形成し、左右の架台の水平張出し部に挟み込んで固定した挟み金物の上向きボルトを左右の架台の水平張出し部に載置する下受け金物の両端のボルト孔に差し込み、この下受け金物の上部に載置した落下防止ネットの上方に押え金物を載置すると共に、押え金物の両端のボルト孔に挿入した挟み金物の上向きボルトをナットで締結する構成としたことを特徴とするフラット型天窓の落下防止ネット取付装置。
【請求項２】
フラット型天窓の下方の両側に設けられた左右の架台に対向配置した水平張出し部の桁行方向に一定の間隔をあけて配置した挟み金物を差し込み、左右の挟み金物に設けられた上向きボルトに下受け金物の両端のボルト孔を差し込んで左右の架台の水平張出し部に載置し、各下受け金物の上部に線条部材を網状に形成した落下防止ネットを載置することによってフラット型天窓の下方を覆い、次いで落下防止ネットの上部に押え金物を載置して、押え金物の両端のボルト孔に挿入した挟み金物の上向きボルトをナットで締結することにより、桁行方向に一定の間隔で左右の架台間に固定した下受け金物と押え金物との間に落下防止ネットを挟み込んで固定することを特徴とするフラット型天窓の落下防止ネット取付工法。
【発明の詳細な説明】
【技術分野】
【０００１】
本発明は、フラット型天窓に落下防止ネットを取り付けることにより、作業員等の落下事故を未然に防止するようにしたフラット型天窓の落下防止ネット取付装置及び工法に関する。
【背景技術】
【０００２】
従来の落下防止ネットは、下記の特許文献に記載されているように、高所における工事中の安全対策として使用する落下防止ネットが知られている。しかしながら、この特許文献に記載された落下防止ネットは、作業員が足場等の高所作業で落下するのを防止するために案出されたものである。
【０００３】
また、従来の天窓用の落下防止ネットは、主にドーム型天窓に取り付けられ、フラット型天窓の場合は、取り付け工事中の転落を防止する安全ネットとして取り付けられ、工事の完成後には撤去するものであった。また、このような落下防止ネットは、工場規格生産品であり、施工現場において天窓の架台間の寸法に合わせて切断加工することは困難であり、コスト高になるという不都合が生じる。
【先行技術文献】
【特許文献】
【０００４】
【特許文献１】特開平７−２１７２２２
【発明の概要】
【発明が解決しようとする課題】
【０００５】
ところで、従来のフラット型天窓は、完成後のメンテナンス等の際に作業員が誤って採光板に足を踏み込むと、ガラス板等を突き破って転落したり、積雪の際には天窓が降雪によって完全に埋もれてしまい、天窓の位置すら不明となるため、従来から踏み抜き事故の発生が危惧されていた。
【０００６】
本発明は、上記の事情に鑑みてなされたものであり、天窓の施工中だけではなく、施工後においても常設することによって、天窓の踏み抜きによる転落を防止し、しかも天窓の架台間の寸法に合わせて現場で容易に加工し、取付けることができるフラット型天窓の落下防止ネット取付装置及び工法を提供することを目的とする。
【課題を解決するための手段】
【０００７】
上記の問題を解決するために、本発明における請求項１のフラット型天窓の落下防止ネット取付装置は、線条部材を網状に形成した落下防止ネットをフラット型天窓の下方の両側に設けられた左右の架台に対向配置した水平張出し部の上部に載置可能な幅に形成し、左右の架台の水平張出し部に挟み込んで固定した挟み金物の上向きボルトを左右の架台の水平張出し部に載置する下受け金物の両端のボルト孔に差し込み、この下受け金物の上部に載置した落下防止ネットの上方に押え金物を載置すると共に、押え金物の両端のボルト孔に挿入した挟み金物の上向きボルトをナットで締結する構成としたことを特徴とする。
【０００８】
また、本発明における請求項２のフラット型天窓の落下防止ネット取付工法は、フラット型天窓の下方の両側に設けられた左右の架台に対向配置した水平張出し部の桁行方向に一定の間隔をあけて配置した挟み金物を差し込み、左右の挟み金物に設けられた上向きボルトに下受け金物の両端のボルト孔を差し込んで左右の架台の水平張出し部に載置し、各下受け金物の上部に線条部材を網状に形成した落下防止ネットを載置することによってフラット型天窓の下方を覆い、次いで落下防止ネットの上部に押え金物を載置して、押え金物の両端のボルト孔に挿入した挟み金物の上向きボルトをナットで締結することにより、桁行方向に一定の間隔で左右の架台間に固定した下受け金物と押え金物との間に落下防止ネットを挟み込んで固定することを特徴とする。
【発明の効果】
【０００９】
本発明のフラット型天窓の落下防止ネット取付装置は、天窓の施工現場において、天窓の左右の架台間の水平張り出し部を利用して、挟み金物を容易に取り付けることが可能である。さらに、その他の主材料である、下受け金物、落下防止ネット、押え金物は、天窓の左右の架台間の幅に応じて、現場で容易に切断加工することができ、現場状況に応じた施工が可能となる。
【００１０】
また、本発明に用いる挟み金物は、左右の架台間の水平張り出し部に挟み込んで容易に取り付けることができ、必要に応じて水平張り出し部に沿って移動することが可能であり、落下防止ネットの広さに応じて取り付け位置を調整することが容易となる。
【００１１】
従って、このようなフラット型天窓の落下防止ネット取付装置は、上記のように取付けが容易であり、その取付後においては、天窓の下方一帯に下受け金物で支持された落下防止ネットが取り付けられるため、従来から危惧されていた天窓の踏み抜きによる転落事故を未然に防止することが可能となる。
【図面の簡単な説明】
【００１２】
【図１】本発明の実施例に用いる落下防止ネットを天窓の下方に設置した状態を示す斜視図である。
【図２】本発明の実施例に用いる落下防止ネットを左右の架台に設けた下受け金物と押え金物との間に挟み込んだ固定状態を示す斜視図である。
【図３】（ａ）は本発明の実施例に用いる挟み金物の平面図、側面図、正面図であり、（ｂ）はこの挟み金物を架台の水平張り出し部に挟み込む前の状態を示す側面図である。
【図４】（ａ）は図３に示す挟み金物の別態様を示す平面図、側面図、正面図であり、(ｂ)はこの挟み金物を架台の水平張り出し部に挟み込む前の状態を示す側面図である。
【図５】本発明の実施例に用いる落下防止ネットを左右の架台に設けた下受け金物と押え金物との間に挟み込んだ固定状態を示す正面図である。
【図６】（ａ-１）は本発明の実施例に用いる下受け金物の斜視図であり、（ａ−２）は下受け金物の別態様を示す斜視図であり、（ｂ−１）は本発明に用いる押え金物の斜視図であり、（ｂ−２）は押え金物の別態様を示す斜視図である。
【図７】本発明の実施例に用いる落下防止ネットの施工方法を示す図であり、挟み金物を架台の水平張り出し部に打ち込んで挟み込む作業を示す。
【図８】本発明の実施例に用いる下受け金物を左右の架台に取付ける作業を示す。
【図９】本発明の実施例に用いる落下防止ネットを左右の架台に取付けた下受け金物の上部に載置する作業を示す。
【図１０】発明の実施例に用いる左右の架台に取付けた下受け金物と落下防止ネットの上部に押え金物を載置する作業を示す。
【図１１】本発明の実施例に用いる下受け金物と押え金物の間に落下防止ネットを挟んだ状態をボルトとナットで固定する作業を示す。
【発明を実施するための形態】
【００１３】
以下、本発明の実施例について図面を参照しながら説明する。
【実施例】
【００１４】
本実施例の落下防止ネット１は、図１に示すような天窓２に取り付けることが可能である。この天窓２は、左右に設けた鉄骨構造の架台３，３の間に採光ガラス板２ａを設け、この採光ガラス板２ａの両端をガスケット４で挟持すると共に、その下部をガラス受け板５で支持した構成を有する。また、左右のガスケット４を左右の天窓枠６と断面コ字形の押え金具７で支持し、左右のハゼ折板８を接続するようにしている。このような構造において、天窓２の左右の架台３，３は、左右のＬ型のアングル材９，９の立ち上がり内側面に溶接又はボルト９ａとナット９ｂで固定され、架台３，３の内側下部には互いに対向する内側方向に折曲形成された水平張出し部１０を備え、この水平張出し部１０は天窓２の流れ方向に沿って一連の継続した形状を有する。
【００１５】
このような構造において、図１及び図２に示す天窓２は、図面の手前側が下り勾配となる水下部分であり、図面の背面方向が上がり勾配となる水上部となる。
【００１６】
本実施例に使用する落下防止ネット１は、図１に示すように、スチール製等の金属製線条部材１１を予め網状に形成したものであり、その平面の大きさは現場の架台３，３の間隔に応じて切断加工することが可能である。また、落下防止ネット１の幅は、その落下防止ネット１の両端を左右の架台３，３の内側を向く水平張出し部１０、１０に載置することができる幅としている。
【００１７】
図２は、左右の架台３，３に天窓２を取り付ける前に、本実施例の落下防止ネットを取り付けた状態を示す斜視図（一部を分解状態で示す）であり、挟み金物１２は左右の架台３，３の水平張出し部１０，１０に取り付けた状態にしている。
【００１８】
この挟み金物１２は、図３（ａ）に示すように、側面視がＵ字形を有する形状であって、端部の開口部１２ａを図３（ｂ）に示す架台３，３（図２参照）の水平張出し部１０に挟み込んで取付けることができる。また、挟み金物１２の上部には上向きボルト１３ａが固定され、架台３，３の水平張出し部１０に挟み込んで取付けると、上向きボルト１３ａは先端が上向きになり、その上方からナット１３ｂを締結することが可能となる。
【００１９】
このような図３（ａ）の挟み金物１２は、要部を膨出形状に変形してなる補強部１２ｂを形成してあるが、図４（ａ）に示すように、単に、金属板をＵ字形に折曲した簡易的な構造とすることも可能である。また、図４（ａ）に示す挟み金物１２においても、上部には上向きボルト１３ａが固定され、図４（ｂ）に示すように、架台３，３（図２参照）の水平張出し部１０に挟み込んで取付け、上向きボルト１３ａの上方からナット１３ｂを締結することが可能である。
【００２０】
また、図５に示すように、左右の架台３，３の水平張出し部１０は対向した内側に向けて設けられ、挟み金物１２は、左右の水平張出し部１０に対向位置に挟み込んで取り付けられ、左右の挟み金物１２の上部に下受け金物１４が取り付けられる。
【００２１】
この下受け金物１４は、図６（ａ−１）に示すように、端部が逆凹形状に形成された長尺の金属製金物であり、左右の架台３，３間に収められる長さを有し（図２参照）、下受け金物１４の両端には、上記の挟み金物１２の上向きボルト１３ａを挿入し得るボルト孔１４ａが形成されている。
【００２２】
一方、図６（ｂ−１）に示す押え金物１５は、上記の下受け金物１４と同様に、左右の架台３，３間に収められる長さを有する長尺の金属製金物であり、短幅の両端に沿ってやや立ち上がった補強部１５ｃが形成され、両端には上記の挟み金物１２の上向きボルト１３ａを挿入し得るボルト孔１５ａが形成されている。なお、この押え金物１５は、図６（ｂ−２）に示すように、単に長尺の金属製板部材で形成しても良い。
【００２３】
さらに、図６（ａ-１）に示すように、下受け金物１４の途中には複数のボルト孔１４ｂが形成されている。また、図６（ｂ-１）又は（ｂ−２）に示すように、押え金物１５の途中には上記のボルト孔１４ｂに対応する位置に複数のボルト孔１５ｂが形成され、これらのボルト孔１４ｂとボルト孔１５ｂには不図示のボルトを挿入することによってナットで締結することが可能である。ただし、本実施例では、ボルトの締結作業を容易且つ迅速に行うために、図６（ａ−２）又は図１０、図１１等に示すように、下受け金物１４のボルト孔１４ｂの下方からボルト１７ａを挿入して溶接することで、ボルト１７ａを上向きに固定しておき、図２に示すように、ボルト１７ａを押え金物１５のボルト孔１５ｂに挿入してナット１７ｂで締結することを可能としている。
【００２４】
このような構成により、図５に示すように、左右の架台３，３の水平張出し部１０に挟み込んで固定した挟み金物１２の上向きボルト１３ａを下受け金物１４の両端のボルト孔１４ａに差し込み、この下受け金物１４の上部に落下防止ネット１を載置すると共に、その上方に押え金物１５を載置して、押え金物１５の両端のボルト孔１５ａに挿入した挟み金物１２の上向きボルト１３ａをナット１３ｂで締結する。また、下受け金物１４と押え金物１５の途中は、上記のように上向きに固定されたボルト１７ａとナット１７ｂで締結することによって、天窓２の下方に落下防止ネット１が固定した状態で取り付けられる。
【００２５】
次に、図７〜図１１を用いて上記の落下防止ネット１を取付ける施工方法について説明する。なお、最初に、工事用の安全性を図るために、天窓２の下方には工事用転落防止安全ネット１８を張っておく。この転落防止安全ネット１８は、工事の修了時には撤去する。
【００２６】
まず、図７に示すように、フラット型天窓２の下方の両側に設けられた左右の架台３，３に対向配置した水平張出し部１０の桁行方向（水の流れ方向）に一定の間隔をあけて配置した挟み金物１２を金槌等の打込具１９で打ち込む。
【００２７】
次いで、図８に示すように、左右の挟み金物１２に設けられた上向きボルト１３ａに下受け金物１４の両端のボルト孔１４ａを差し込んで左右の架台３，３の水平張出し部１０に載置した状態とする。
【００２８】
さらに、図９に示すように、各下受け金物１４の上部に落下防止ネット１を載置することによって、後に取付けるフラット型天窓２（図５参照）の下方を覆うものとする。
【００２９】
次いで、図１０に示すように、落下防止ネット１の上部に押え金物１５を載置する。さらに、図１１に示すように、押え金物１５の両端のボルト孔１５ａに挿入した挟み金物１２の上向きボルト１３ａをナット１３ｂで締結することにより、桁行方向に一定の間隔で左右の架台３，３間に固定した下受け金物１４と押え金物１５との間に落下防止ネット１を挟み込んで固定した状態にする。また、下受け金物１４と押え金物１５の途中は、下受け金物１４の途中に予め固定されたボルト１７ａをナッ１７ｂで締結することによって、図５に示すように、後に取付ける天窓２の下方を覆う状態で防止ネット１を固定した状態に取り付ける。
【産業上の利用可能性】
【００３０】
本発明のフラット型天窓の落下防止ネット取付装置及び工法は、天窓の施工中だけではなく、施工後においても常設することによって、天窓の踏み抜きによる転落を防止し、しかも天窓の架台間の寸法に合わせて現場で容易に加工し、取付けることができるフラット型天窓の落下防止ネット取付装置及び工法として利用可能である。
【符号の説明】
【００３１】
１  落下防止ネット
２  天窓
２a  採光ガラス板
３  架台
４  ガスケット
５  ガラス受け板
６  天窓枠
７  押え金具
８  ハゼ折板
９  アングル材
９ａ  ボルト
９ｂ  ナット
１０  水平張出し部
１１  線条部材
１２  挟み金物
１２a  開口部
１２ｂ  補強部
１３a  上向きボルト
１３ｂ  ナット
１４  下受け金物
１４a  両端のボルト孔
１４ｂ  途中のボルト孔
１５  押え金物
１５a  両端のボルト孔
１５ｂ  途中のボルト孔
１５ｃ  補強部
１７a  ボルト
１７ｂ  ナット
１８  工事用転落防止安全ネット
１９  打込具
【要約】
【課題】天窓の施工中だけではなく、施工後においても常設することによって、天窓の踏み抜きによる転落を防止し、しかも天窓の架台間の寸法に合わせて現場で容易に加工し、取付けることができるフラット型天窓の落下防止ネット取付装置及び工法を提供する。
【解決手段】線条部材を網状に形成した落下防止ネットをフラット型天窓の下方の両側に設けられた左右の架台に対向配置した水平張出し部の上部に載置可能な幅に形成し、左右の架台の水平張出し部に挟み込んで固定した挟み金物の上向きボルトを左右の架台の水平張出し部に載置する下受け金物の両端のボルト孔に差し込み、この下受け金物の上部に載置した落下防止ネットの上方に押え金物を載置すると共に、押え金物の両端のボルト孔に挿入した挟み金物の上向きボルトをナットで締結する構成とした。
【選択図】図２【図１１】
0005965558.tif 000002
【図１】
0005965558.tif 000003
【図２】
0005965558.tif 000004
【図３】
0005965558.tif 000005
【図４】
0005965558.tif 000006
【図５】
0005965558.tif 000007
【図６】
0005965558.tif 000008
【図７】
0005965558.tif 000009
【図８】
0005965558.tif 000010
【図９】
0005965558.tif 000011
【図１０】
0005965558.tif 000012